(57)【要約】【課題】端末装置が無線信号を受信した場所やそれらの場所間の距離に応じて、ユーザに付与される価値情報を変更する。【解決手段】特定部１１１は、駐車場（第１の空間）において携帯電話機２が受信した第１の無線信号と、その後にその駐車場と異なる空間である店舗（第２の空間）においてその携帯電話機２が受信した第２の無線信号とに基づいて、携帯電話機２が第１の無線信号を受信した場所と第２の無線信号を受信した場所との距離を特定する。変更部１１２は、特定部１１１により特定された上述の距離に応じて、携帯電話機２のユーザが使用可能な価値を示す価値情報を変更する。【選択図】図７
2016045732.tif 000002
【特許請求の範囲】
【請求項１】
第１の空間において端末装置が受信した第１の無線信号と、その後に前記第１の空間と異なる第２の空間において前記端末装置が受信した第２の無線信号とに基づいて、前記第１の無線信号を受信した場所と前記第２の無線信号を受信した場所との距離を特定する特定手段と、
前記特定手段により特定された前記距離に応じて、前記端末装置のユーザが使用可能な価値を示す価値情報を変更する変更手段と、
を有する情報処理装置。
【請求項２】
前記特定手段は、前記端末装置が前記第１の無線信号を受信した時刻から前記第２の無線信号を受信した時刻までの時間に基づいて、前記距離を特定する
ことを特徴とする請求項１に記載の情報処理装置。
【請求項３】
前記特定手段は、前記端末装置が前記第１の無線信号を受信してから前記第２の無線信号を受信するまでに受信した他の無線信号に基づいて、前記端末装置が前記第１の空間から前記第２の空間に至るまでの経路を特定し、当該経路の長さを前記距離として特定する
ことを特徴とする請求項１に記載の情報処理装置。
【請求項４】
前記変更手段は、前記距離と前記第２の空間で前記ユーザが行った取引の額に応じて、前記価値情報を変更する
ことを特徴とする請求項１から３のいずれか１項に記載の情報処理装置。
【請求項５】
前記変更手段は、前記距離と前記第２の空間で前記ユーザが購入した物品の重量に応じて、前記価値情報を変更する
ことを特徴とする請求項１から４のいずれか１項に記載の情報処理装置。
【請求項６】
前記変更手段は、前記ユーザが前記第１の空間において受けるサービスに対して前記ユーザから支払われる対価を示す価値情報を変更する
ことを特徴とする請求項１から４のいずれか１項に記載の情報処理装置。
【請求項７】
前記特定手段は、前記端末装置が前記第１の無線信号を受信する前に、前記第１の空間において当該第１の無線信号を受信した、当該端末装置と異なる他の端末装置の数を特定し、
前記変更手段は、前記特定手段により特定された前記距離および前記数に応じて、前記端末装置のユーザが使用可能な価値を示す価値情報を変更する
ことを特徴とする請求項１に記載の情報処理装置。
【請求項８】
第１の空間において端末装置が受信した第１の無線信号と、その後に前記第１の空間と異なる第２の空間において前記端末装置が受信した第２の無線信号とに基づいて、情報処理装置が前記第１の無線信号を受信した場所と前記第２の無線信号を受信した場所との距離を特定する特定ステップと、
前記特定ステップにおいて特定された前記距離に応じて、前記端末装置のユーザが使用可能な価値を示す価値情報を、前記情報処理装置が変更する変更ステップと、
を有することを特徴とする情報処理方法。
【請求項９】
コンピュータを、
第１の空間において端末装置が受信した第１の無線信号と、その後に前記第１の空間と異なる第２の空間において前記端末装置が受信した第２の無線信号とに基づいて、前記第１の無線信号を受信した場所と前記第２の無線信号を受信した場所との距離を特定する特定手段と、
前記特定手段により特定された前記距離に応じて、前記端末装置のユーザが使用可能な価値を示す価値情報を変更する変更手段
として機能させるためのプログラム。
【発明の詳細な説明】
【技術分野】
【０００１】
本発明は、無線信号を受信する端末装置を用いた商取引の情報処理に関するものである。
【背景技術】
【０００２】
無線局から発信される無線信号を受信する受信機は、例えば特許文献１などに利用されている。特許文献１には、車両等の受信機に無線信号を受信させることによって現在位置情報を提供し、地図に重畳させて表示させることでナビゲーション機能の精度を向上させる装置が開示されている。
【先行技術文献】
【特許文献】
【０００３】
【特許文献１】特開平６−６６５７５号公報
【発明の概要】
【発明が解決しようとする課題】
【０００４】
ところで、無線信号は届く範囲が限られるので、無線信号を受信する受信機がその範囲に存在したことの証明になる。また、近年では、スマートフォンなどに代表される端末装置が無線信号を受信する受信機を含むことがある。
こういったスマートフォンに、複数のチェックポイントからそれぞれ発信されている無線信号を受信させることで、そのユーザがそれらの各チェックポイントに来たことをそのスマートフォンに記憶させ、表示させるスタンプラリーのシステムがある。
【０００５】
しかし、こういったシステムも例えば、ユーザが車を止めた駐車エリアが精算所や利用店舗から遠い場合に、駐車料金を割り引くというように、ユーザが訪れた場所やそれらの場所間の距離に応じてユーザに与えられる特典を変更することには対応していない。
【０００６】
本発明は、端末装置が無線信号を受信した場所やそれらの場所間の距離に応じて、ユーザに付与される価値情報を変更することを目的とする。
【課題を解決するための手段】
【０００７】
上述した課題を解決するため、本発明に係る情報処理装置は、第１の空間において端末装置が受信した第１の無線信号と、その後に前記第１の空間と異なる第２の空間において前記端末装置が受信した第２の無線信号とに基づいて、前記第１の無線信号を受信した場所と前記第２の無線信号を受信した場所との距離を特定する特定手段と、前記特定手段により特定された前記距離に応じて、前記端末装置のユーザが使用可能な価値を示す価値情報を変更する変更手段と、を有する。
【０００８】
好ましくは、前記特定手段は、前記端末装置が前記第１の無線信号を受信した時刻から前記第２の無線信号を受信した時刻までの時間に基づいて、前記距離を特定するとよい。
【０００９】
また、好ましくは、前記特定手段は、前記端末装置が前記第１の無線信号を受信してから前記第２の無線信号を受信するまでに受信した他の無線信号に基づいて、前記端末装置が前記第１の空間から前記第２の空間に至るまでの経路を特定し、当該経路の長さを前記距離として特定するとよい。
【００１０】
また、好ましくは、前記変更手段は、前記距離と前記第２の空間で前記ユーザが行った取引の額に応じて、前記価値情報を変更するとよい。
【００１１】
また、好ましくは、前記変更手段は、前記ユーザが前記第１の空間において受けるサービスに対して前記ユーザから支払われる対価を示す価値情報を変更するとよい。
【００１２】
また、好ましくは、前記特定手段は、前記端末装置が前記第１の無線信号を受信する前に、前記第１の空間において当該第１の無線信号を受信した、当該端末装置と異なる他の端末装置の数を特定し、前記変更手段は、前記特定手段により特定された前記距離および前記数に応じて、前記端末装置のユーザが使用可能な価値を示す価値情報を変更するとよい。
【００１３】
また、本発明に係る情報処理方法は、第１の空間において端末装置が受信した第１の無線信号と、その後に前記第１の空間と異なる第２の空間において前記端末装置が受信した第２の無線信号とに基づいて、情報処理装置が前記第１の無線信号を受信した場所と前記第２の無線信号を受信した場所との距離を特定する特定ステップと、前記特定ステップにおいて特定された前記距離に応じて、前記端末装置のユーザが使用可能な価値を示す価値情報を、前記情報処理装置が変更する変更ステップと、を有することを特徴とする。
【００１４】
また、本発明に係るプログラムは、コンピュータを、第１の空間において端末装置が受信した第１の無線信号と、その後に前記第１の空間と異なる第２の空間において前記端末装置が受信した第２の無線信号とに基づいて、前記第１の無線信号を受信した場所と前記第２の無線信号を受信した場所との距離を特定する特定手段と、前記特定手段により特定された前記距離に応じて、前記端末装置のユーザが使用可能な価値を示す価値情報を変更する変更手段として機能させるためのプログラムである。
【発明の効果】
【００１５】
本発明によれば、端末装置が無線信号を受信した場所やそれらの場所間の距離に応じて、ユーザに付与される価値情報を変更することができる。
【図面の簡単な説明】
【００１６】
【図１】本発明の実施形態に係る情報処理システムの全体構成を示す図。
【図２】情報処理装置の構成を示す図。
【図３】条件表の一例を示す図。
【図４】携帯電話機の構成を示す図。
【図５】管理サーバ装置の構成を示す図。
【図６】価値情報表の一例を示す図。
【図７】情報処理装置の機能的構成を示す図。
【図８】情報処理装置が特定する携帯電話機の移動距離を説明するための見取り図。
【図９】情報処理システムの動作を示すシーケンス図。
【発明を実施するための形態】
【００１７】
１．実施形態
１−１．情報処理システムの全体構成
図１は、本発明の実施形態に係る情報処理システム９の全体構成を示す図である。情報処理システム９は、情報処理装置１、携帯電話機２、発信機４、管理サーバ装置６を有する。情報処理装置１、携帯電話機２、管理サーバ装置６は、通信回線３により互いに接続して通信可能となっている。
【００１８】
発信機４は、ショッピングモールなどの店舗敷地内および駐車場内に設置され、ビーコンなどと呼ばれる無線信号を発信する。発信機４は、例えば音波などを用いてもよいが、ここでは２．４ＧＨｚ帯の電波を用いて無線信号を発信する。発信機４は、店舗内および駐車場内にそれぞれ複数個、設置されている。各発信機４は、それぞれ固有の識別情報を含んだ無線信号を周囲に発信する。無線信号が届く範囲は、電波強度や遮蔽物の有無などで決まる。
【００１９】
携帯電話機２は、いわゆるスマートフォンであり、発信機４から発信される無線信号を受信する機能を有する端末装置である。
【００２０】
情報処理装置１は、携帯電話機２を利用した商取引に関する情報処理を行うコンピュータ装置であり、通信回線３を介して、携帯電話機２および管理サーバ装置６と情報の遣り取りをする。
管理サーバ装置６は、各携帯電話機２のユーザにそれぞれ対応付けられた価値情報を管理するコンピュータ装置であり、通信回線３を介して、携帯電話機２および情報処理装置１と情報の遣り取りをする。
【００２１】
価値情報とは、商品やサービスなどと取引することができる金銭などの価値を定量的に表現した情報であり、いわゆる電子マネーや前払式証票、クーポン、バウチャーなどの残高情報を表すものである。
【００２２】
１−２．情報処理装置の構成
図２は、情報処理装置１の構成を示す図である。制御部１１は、情報処理装置１の各部の動作を制御する手段である。制御部１１は、ＣＰＵ（Central Processing Unit）などの演算処理装置や、ＲＯＭ（Read Only Memory）、ＲＡＭ（Random Access Memory）などの記憶装置を備え、これら記憶装置に記憶されたプログラムを実行する。
【００２３】
通信部１３は、通信回線３を介して携帯電話機２や管理サーバ装置６との間で情報を通信するインターフェイスであり、例えば各種のモデムやIMT-2000に準拠した無線通信回路、あるいは、ＵＳＢ（Universal Serial Bus）規格に準拠したシリアルインターフェースや、ＩｒＤＡ（Infrared Data Association）、Bluetooth（登録商標）などに準拠した無線インターフェイスなどである。
【００２４】
記憶部１２はハードディスクドライブなどの記憶手段であり、制御部１１に読み込まれるプログラムを記憶する。なお、記憶部１２は、いわゆるリムーバブルディスク、すなわち着脱可能な記録媒体を含んでもよい。
【００２５】
また、記憶部１２は、条件表１２１を記憶する。条件表１２１は、携帯電話機２のユーザに対応付けられた価値情報を変更する条件を記述した表である。
【００２６】
図３は、条件表１２１の一例を示す図である。図３に示すように、条件表１２１は、携帯電話機２のユーザに対応付けられた価値情報を変更する条件として、その携帯電話機２の移動した距離と、その携帯電話機２のユーザが店舗で行った取引の金額（取引額）との組合せが記述されており、各組合せに応じて新たに追加される価値情報の量が記述されている。例えば距離が近くて取引額が安い場合と、距離が遠くて取引額が高い場合とでは付与される価値情報の量が異なる。
【００２７】
１−３．携帯電話機の構成
図４は、携帯電話機２の構成を示す図である。制御部２１は、携帯電話機２の各部の動作を制御する手段である。制御部２１は、ＣＰＵなどの演算処理装置や、ＲＯＭ、ＲＡＭなどの記憶装置を備え、これら記憶装置に記憶されたプログラムを実行する。
【００２８】
記憶部２２はソリッドステートドライブなどの記憶手段であり、制御部２１に読み込まれるプログラムを記憶する。なお、記憶部２２は、メモリカードなど着脱可能な記録媒体を含んでもよい。
【００２９】
通信部２３は、通信回線３を介して情報処理装置１や管理サーバ装置６との間で情報を通信するインターフェイスであり、例えば無線通信回路などである。
【００３０】
表示部２４は、液晶などを使用したディスプレイ装置であり、制御部２１からの指示に応じて画像を表示する
【００３１】
操作部２５は指示を入力するためのボタンやタッチパネルなどを備えており、ユーザによる操作を受け付けてその操作内容に応じた信号を制御部２１に供給する。
【００３２】
受信部２０は、近距離無線により発信機４から発信される無線信号を、その発信機４に近づいたときに受信する。受信部２０は、例えば、ＩＥＥＥ８０２．１５に準拠した無線インターフェイスなどである。受信部２０は、無線信号を受信すると、その旨の通知を制御部２１に伝え、この通知を伝えられた制御部２１は、携帯電話機２がこの無線信号を受信したことを通信部２３および通信回線３経由で伝える。
【００３３】
なお、携帯電話機２は、図４に示す検知部２６を有していてもよい。検知部２６は、ジャイロセンサや加速度センサなどを有しており、これらのセンサによって携帯電話機２の姿勢や運動などを検知する。
【００３４】
１−４．管理サーバ装置の構成
図５は、管理サーバ装置６の構成を示す図である。制御部６１は、管理サーバ装置６の各部の動作を制御する手段である。制御部６１は、ＣＰＵなどの演算処理装置や、ＲＯＭ、ＲＡＭなどの記憶装置を備え、これら記憶装置に記憶されたプログラムを実行する。
【００３５】
通信部６３は、通信回線３を介して携帯電話機２や情報処理装置１との間で情報を通信するインターフェイスである。
【００３６】
記憶部６２はハードディスクドライブなどの記憶手段であり、制御部６１に読み込まれるプログラムを記憶する。なお、記憶部６２は、いわゆるリムーバブルディスク、すなわち着脱可能な記録媒体を含んでもよい。
【００３７】
また、記憶部６２は、価値情報表６２１を記憶する。価値情報表６２１は、携帯電話機２を所有するユーザの識別情報に対応付けられた価値情報を記述した表である。
【００３８】
なお、価値情報は、上述したとおりユーザごとに対応付けられていてもよいが、携帯電話機２ごとに対応付けられていてもよい。価値情報は、携帯電話機２を所有するユーザが、その携帯電話機２を用いて利用可能な価値を表現した情報であればよい。
【００３９】
図６は、価値情報表６２１の一例を示す図である。図６に示すように、価値情報表６２１は、ユーザＩＤと、クーポン残高との組合せを記憶する。ユーザＩＤは、携帯電話機２のユーザを識別するための識別情報である。クーポン残高は、価値情報の一例であり、ユーザが使用可能なクーポンの量を示す情報である。クーポン残高の単位は「ポイント」である。
【００４０】
例えば図６に示すユーザＩＤが「Ｕ１」のユーザは、自身の所有する１００ポイントを、店舗内で利用する場合に限り日本円の１００円として消費することができる、というように取り決められている。価値情報表６２１の内容は、情報処理装置１を介さずに携帯電話機２によって参照されることがあるが、変更されるのは、情報処理装置１の指示があったときのみである。管理サーバ装置６は、価値情報を管理する管理装置の一例である。
【００４１】
１−５．情報処理装置の機能的構成
図７は、情報処理装置１の機能的構成を示す図である。制御部１１は、特定部１１１、および変更部１１２として機能する。図８は、情報処理装置１が特定する携帯電話機２の移動距離を説明するための見取り図である。
【００４２】
図８に示すように、駐車場（第１の空間）を示す範囲Ａと、店舗（第２の空間）を示す範囲Ｂとには、それぞれ各所に発信機４が取り付けられている。範囲Ａは、管理室を示す範囲Ａ１のほか、駐車場内の道路を隔てて駐車用のスペースごとに４つの範囲Ａ２〜Ａ５に区画されている。範囲Ａ１〜Ａ５にはそれぞれ１または複数の発信機４が設置されている。例えば、範囲Ａ２には、発信機４ｃが設置されている。また、図８に示す例で範囲Ｂには、発信機４ｆ、４ｇ、４ｈが設置されている。
【００４３】
車に乗ったユーザがゲートｇ１から駐車場に入り、管理室で駐車券を受け取って範囲Ａ２に含まれる地点に車を停めると（以下、この地点を「駐車地点」という）、車を停めたタイミングでユーザの携帯電話機２が発信機４ｃから受信した無線信号を記憶する。この場合、車にはエンジンの駆動・停止の状態を通信回線３経由で携帯電話機２に知らせる通知装置が設置されていてもよい。また、車に設置された近距離無線通信との接続が切れたことを以って、携帯電話機２は、車の電気制御機器への給電が途絶えたことを認識し、車が停止したことを推定してもよい。
【００４４】
ユーザは停めた車から降りて駐車場内を経路Ｒｔに沿って歩き、ゲートｇ２ではなくゲートｇ３から店舗内に入る。この間、ユーザが移動する経路上で発信されている無線信号がユーザの携帯電話機２によって受信され、順次、記憶される。
【００４５】
そして、ユーザは、陳列された品物を店舗内の精算所まで運んで支払いをする。このとき、この精算所には発信機４ｈが設置されており、支払いをしたタイミングで携帯電話機２がこの発信機４ｈから受信した無線信号を記憶する。
【００４６】
図７に示した特定部１１１は、駐車場（第１の空間）において携帯電話機２が受信した第１の無線信号と、その後にその駐車場と異なる空間である店舗（第２の空間）においてその携帯電話機２が受信した第２の無線信号とに基づいて、携帯電話機２が第１の無線信号を受信した場所（すなわち、駐車地点）と第２の無線信号を受信した場所（すなわち精算所）との距離を特定する。図８の例において、第１の無線信号は、発信機４ｃによって発信されており、第２の無線信号は発信機４ｈによって発信されている。
【００４７】
特定部１１１は、上述した「車を停めたタイミング」に無線信号を受信した場所（駐車地点）から、「支払いをしたタイミング」に無線信号を受信した場所（精算所）までの距離を、その間に携帯電話機２が受信した他の無線信号に基づいて特定する。
【００４８】
上述した経路Ｒｔに沿ってユーザが歩くと、ユーザの携帯電話機２には、例えば発信機４ｃ→発信機４ｄ→発信機４ｅ→発信機４ｇ→発信機４ｈの順で各発信機４から発信されている無線信号が記憶される。これらの無線信号の情報を携帯電話機２が、その受信した順序の情報とともに情報処理装置１に送ることで、情報処理装置１は、携帯電話機２が駐車場から店舗に至るまでの経路を特定し、その経路の長さを特定する。特定されるこの長さは、ユーザがゲートｇ２から店舗内に入った場合の経路の長さとは異なるものとなる。この経路の長さは、携帯電話機２が第１の無線信号を受信した場所と第２の無線信号を受信した場所との距離として変更部１１２に伝えられる。
【００４９】
また、ユーザが支払いをすると、店舗内の精算所に備えられたコンピュータ（図示せず）は、そのときの取引額を、通信回線３経由で情報処理装置１に伝える。取引額は、携帯電話機２が情報処理装置１に伝えてもよい。
【００５０】
変更部１１２は、特定部１１１により特定された上述の距離と、ユーザの取引額とに応じて、携帯電話機２のユーザが使用可能な価値を示す価値情報を変更する。ここで、携帯電話機２のユーザが使用可能な価値を示す価値情報は、管理サーバ装置６が管理しているため、変更部１１２は、特定部１１１により特定された距離およびユーザの取引額に応じて、管理サーバ装置６に対して、価値情報を変更するための指示をする。この指示は、通信部１３により送信され、通信回線３を経由して管理サーバ装置６に受け取られる。この指示を受け取った管理サーバ装置６は、この指示に応じて価値情報表６２１に記述された価値情報を変更する。
【００５１】
これにより、例えば店舗内の精算所から遠い場所に駐車したユーザには、そのユーザよりも近い場所に駐車した他のユーザと比べて高いポイントが付与され、多くの支払いをしたユーザには、そのユーザよりも少ない額の支払いしかしなかったユーザと比べて高いポイントが付与される。
【００５２】
なお、価値情報を変更する指示は、クーポンのポイントを付与するというように、管理サーバ装置６に記憶されているユーザの価値情報を、新たに価値を付与してこの価値情報が示す価値をより高い価値を示すものに変更するものであってもよいが、これに限られない。例えば、ユーザが第１の空間である駐車場内において受けるサービスに対してそのユーザから支払われる対価を示す価値情報を変更するものであってもよい。この場合の「価値情報」は、ユーザが「第１の空間において受けるサービスに対する対価の支払い」として使用可能な価値を示す価値情報である。
【００５３】
これにより、駐車料金の支払いにおいて、例えば駐車料金の精算所から遠い場所に駐車したユーザには、そのユーザよりも近い場所に駐車した他のユーザと比べて高い割引率が適用され、多くの支払いをしたユーザには、そのユーザよりも少ない額の支払いしかしなかったユーザと比べて高い割引率が適用される。
【００５４】
１−６．情報処理システムの動作
図９は、情報処理システム９の動作を示すシーケンス図である。携帯電話機２は、発信機４から発信される無線信号を受信すると（ステップＳ１０１）、その無線信号を記憶する（ステップＳ１０２）。
【００５５】
携帯電話機２は、無線信号を受信する際に支払いがあったか否かを判断する（ステップＳ１０３）。無線信号を受信する際に支払いがなかったと判断する期間（ステップＳ１０３；ＮＯ）、携帯電話機２は、処理をステップＳ１０１に戻してこの判断を継続する。
【００５６】
一方、無線信号を受信する際に支払いがあったと判断すると（ステップＳ１０３；ＹＥＳ）、携帯電話機２は、「車を停めたタイミング」に無線信号を受信した場所から、「支払いをしたタイミング」に無線信号を受信した場所までの距離を、その間に携帯電話機２が受信した他の無線信号に基づいて特定するとともに、支払いの額（取引額）を特定する（ステップＳ１０４）。そして、携帯電話機２は、特定した距離および取引額に対応する価値情報の変更について問合せをする（ステップＳ１０５）。
【００５７】
情報処理装置１は、携帯電話機２から問合せを受けると、その問合せに含まれていた距離および取引額の組合せに対応するクーポンの額を条件表１２１から探すことで、携帯電話機２が移動した距離と支払った取引額との組合せに対応するクーポンの付与、すなわち、価値情報の変更があるか否かを判定する（ステップＳ１０６）。
【００５８】
距離と取引額との組合せに対応する価値情報の変更がないと判定する場合（ステップＳ１０６；ＮＯ）、情報処理装置１は、ステップＳ１１０に処理を進める。一方、距離と取引額との組合せに対応する価値情報の変更があると判定する場合（ステップＳ１０６；ＹＥＳ）、情報処理装置１は、管理サーバ装置６に対し、携帯電話機２のユーザの価値情報を、上記の組合せに対応して変更するための指示をする（ステップＳ１０７）。
【００５９】
管理サーバ装置６は、情報処理装置１から価値情報を変更する旨の指示を受けると、その指示に応じて価値情報表６２１の内容を変更する（ステップＳ１０８）。そして、変更の処理が完了したらその旨のメッセージを情報処理装置１へ送信する（ステップＳ１０９）。
【００６０】
情報処理装置１は、ステップＳ１０４における問合せに対する応答をする（ステップＳ１１０）。管理サーバ装置６がユーザの価値情報を変更した場合には、その旨のメッセージを受け取っているので、情報処理装置１は、携帯電話機２に対して、価値情報が変更されたことを伝える内容を応答する。
【００６１】
一方、上述した距離と取引額との組合せに対応する価値情報の変更が条件表１２１に記載されていない場合には、情報処理装置１は、その旨のメッセージを応答する。問い合わせに対する応答を情報処理装置１から受けると、携帯電話機２は、その応答の内容を表示部２４に表示するなどしてユーザに報知する（ステップＳ１１１）。
【００６２】
以上説明したとおり、情報処理システム９では、端末装置が無線信号を受信した場所やそれらの場所間の距離に応じて、ユーザに付与される価値情報が変更される。これにより、ユーザが車を止めた駐車エリアが精算所や利用店舗から遠い場合に、駐車料金を割り引くといった、ユーザが訪れた場所やそれらの場所間の距離に応じてユーザに与えられる特典を変更することができ、このような変更ができないシステムに比べてより細かいサービスを提供することが可能となる。
【００６３】
２．変形例
以上が実施形態の説明であるが、この実施形態の内容は以下のように変形し得る。また、以下の変形例を組み合わせてもよい。
【００６４】
２−１．変形例１
上述した実施形態において、特定部１１１は、携帯電話機２（端末装置）が第１の無線信号を受信してから第２の無線信号を受信するまでに受信した他の無線信号に基づいて、その携帯電話機２が駐車地点から精算所に至るまでの経路を特定し、その経路の長さを、駐車地点から精算所までの距離として特定していたが、この距離を特定する態様はこれに限られない。
例えば、特定部１１１は、携帯電話機２が第１の無線信号を受信した時刻から第２の無線信号を受信した時刻までの時間に基づいて、この距離を特定してもよい。この場合、距離とは物理的な長さではなく、或る場所から別の場所へ移動する際の負担の大きさなどを含む「隔たり」であってもよい。
【００６５】
例えば、同じ距離を歩いたとしても、高齢者と若者とではユーザの負担は異なる。また、店舗内の精算所に至るまでに長い時間をかけているほど、店舗内をよく見ている可能性があるので、後日の店舗利用の見込が高まることも考えられる。したがって、駐車地点から精算所までの距離を移動にかかった時間で特定すると、より負担が多かったり、将来の利用の見込が高かったりするユーザに対して、より高い特典を付与することができる。
【００６６】
２−２．変形例２
駐車地点から精算所までの距離は、経路の長さではなく、２つの場所を結ぶ直線距離であってもよい。また、駐車地点から精算所までの経路の長さを、上記の距離として特定する場合に、特定部１１１は、その経路を移動する間に受信した他の無線信号を用いなくてもよい。例えば、駐車地点から精算所までの経路が予め一通りだけ定められている場合には、その定められた経路を特定すればよい。
【００６７】
２−３．変形例３
上述した実施形態において、変更部１１２は、特定部１１１により特定された距離と、携帯電話機２のユーザの取引額とに応じて、ユーザが使用可能な価値を示す価値情報を変更していたが、ユーザの取引額に関係なく、特定部１１１により特定された距離のみに応じてそのユーザの価値情報を変更してもよい。
【００６８】
また、変更部１１２は、特定部１１１により特定された距離と、ユーザが店舗（第２の空間）で購入した物品の重量に応じてそのユーザの価値情報を変更してもよい。ユーザが取引を行って物品を購入した場合、その購入した物品が重いほど、その物品を受け取ってから駐車地点まで運ぶユーザの負担は大きくなる。この負担は、物品を受取った場所（例えば店舗内の精算所）から駐車地点までの距離が長いほど大きくなるから、変更部１１２は、例えば上記の距離と重量との積や、距離の自乗と重量の自乗との積など、距離および重量のそれぞれに対して単調増加となる演算の結果に応じてユーザの価値情報を変更するようにしてもよい。また、変更部１１２は、上記の距離と重量と、さらに上述した取引額との積を計算し、この積に応じてユーザの価値情報を変更してもよい。これにより、例えば、より高額のより重い物品を、より長い距離にわたって運んだユーザに対して、より高い特典を付与することができる。
【００６９】
なお、購入した物品の重量は、例えば、精算所でその物品を受取るときに、精算所に備えられた測定器によって測定される。この測定器は通信回線３に接続しており、情報処理装置１の要求に応じて測定結果を情報処理装置１に送信する。情報処理装置１は、この測定器から、ユーザが購入した物品の重量を示すデータを取得すればよい。また、変更部１１２は、購入した物品の重量に代えて、または加えて、その物品の体積など物理量を測定し、測定した結果に応じてユーザの価値情報を変更してもよい。
【００７０】
２−４．変形例４
特定部１１１は、携帯電話機２が駐車地点から精算所まで移動した距離を特定するとともに、その携帯電話機２が駐車場で第１の無線信号を受信する前に、その第１の無線信号を受信した他の携帯電話機２の数を特定してもよい。この場合、変更部１１２は、特定部１１１により特定された距離および数に応じて、携帯電話機２のユーザが使用可能な価値を示す価値情報を変更してもよい。
【００７１】
共通の無線信号を過去に受信した他の携帯電話機２が多いということは、その場所の人気が高いことを示している場合が多い。例えば、或る駐車場において、その中の或る区画や、或る駐車地点で受信可能な無線信号が、多くの携帯電話機２によって受信されているとすると、その区画や駐車地点が多くのユーザによって駐車に用いられていることを意味し、つまり、その区画や駐車地点が混雑していること意味している。したがって、このように、過去に共通の無線信号を受信した携帯電話機２が、例えば閾値を超えて多く存在する駐車地点については、付与するクーポンや駐車料金の割引率などを減らすことで、ユーザに対し、他の駐車地点に車を停める動機を与えることが可能になる。そして、これにより、駐車場内の車の混雑・偏りを減らし、空車待ちの行列が発生することなどを抑えることができる。
【００７２】
２−５．変形例５
本発明は、情報処理装置１による情報処理方法として観念される。また、情報処理装置１の制御部１１によって実行されるプログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。なお、上記の制御部１１によって例示した制御手段としてはＣＰＵ以外にも種々の装置が適用される場合があり、例えば、専用のプロセッサなどが用いられる。
【符号の説明】
【００７３】
１…情報処理装置、１１…制御部、１１１…特定部、１１２…変更部、１２…記憶部、１２１…条件表、１３…通信部、２…携帯電話機、２０…受信部、２１…制御部、２２…記憶部、２３…通信部、２４…表示部、２５…操作部、２６…検知部、３…通信回線、４…発信機、６…管理サーバ装置、６１…制御部、６２…記憶部、６２１…価値情報表、６３…通信部、９…情報処理システム、Ａ…範囲、Ａ１〜Ａ５…範囲、Ｂ…範囲、ｇ１…ゲート、ｇ２…ゲート、ｇ３…ゲート。
【図１】
2016045732.tif 000003
【図２】
2016045732.tif 000004
【図３】
2016045732.tif 000005
【図４】
2016045732.tif 000006
【図５】
2016045732.tif 000007
【図６】
2016045732.tif 000008
【図７】
2016045732.tif 000009
【図８】
2016045732.tif 000010
【図９】
2016045732.tif 000011